(57)【特許請求の範囲】
【請求項１】
冷蔵庫の冷凍室に取り付けられて冷蔵庫の温度を調節する冷蔵庫用温度調節スイッチの取付構造であって、冷蔵庫の後方側壁に複数の冷気通孔を有する後方側壁と平行な平板状態のグリル体（４００）が取り付けられ、該グリル体（４００）の上部外方側壁面に、前面支持部（５１０）及びスイッチ軸（５２０）を有する温度調節スイッチ（５００）が螺着され、該温度調節スイッチ（５００）のスイッチ軸（５２０）が前記グリル体（４００）の前記冷気通孔を通して排出される冷気の流路を除いた空間を貫通して前記グリル体（４００）前方側壁面に突出し、突出した該スイッチ軸（５２０）の先方側端に、調節ノブ支持ガイド（４２０）を介して調節ノブ（５４０）が取り付けられ、前記温度調節スイッチ（５００）にマイクロコンピューターが連結されて調節ノブの入力値による信号が送受信されることによって構成される冷蔵庫用温度調節スイッチの取付構造。
【請求項２】
前記温度調節スイッチ（５００）は、前方側壁面に二つのネジ孔を有する屈曲板状の前面支持部（５１０）が形成されて、該前面支持部（５１０）が前記グリル体（４００）の外方側壁面にネジ孔のネジによって螺着され、中央の横手方向に前記スイッチ軸（５２０）が突出して、該スイッチ軸（５２０）の後方側端に電源線（５３０）の一方側端が連結され、該電源線（５３０）の他方側端が冷蔵庫内のマイクロコンピューターに連結される請求項１記載の冷蔵庫用温度調節スイッチの取付構造。
【請求項３】
前記調節ノブ支持ガイド（４２０）は、長方形の板状に形成され、中央に所定径の調節ノブ孔（４１０）が穿孔形成されて、該調節ノブ孔（４１０）が前記スイッチ軸（５２０）に嵌合される請求項１記載の冷蔵庫用温度調節スイッチの取付構造。
【発明の詳細な説明】
【０００１】
【産業上の利用分野】
本発明は、冷蔵庫用温度調節スイッチの取付構造に係るもので、詳しくは、冷蔵庫の冷凍室後方側のグリル体に温度調節スイッチを設置して冷凍室の空間部利用効率を向上し、冷蔵庫の温度調節を正確に行い得るようにした冷蔵庫用温度調節スイッチの取付構造に関するものである。
【０００２】
【従来の技術】
一般の冷蔵庫においては、図２（Ａ）に示したように、冷蔵庫本体１０の上方側に冷凍室２０が形成され、該冷凍室２０の前面に冷凍室ドアー２０ａが開閉自在に掛止される。また、冷凍室２０の下方側に冷蔵室３０が形成され、該冷蔵室３０の前面には冷蔵室ドアー３０ａが開閉自在に掛止される。さらに、前記冷凍室２０内部の上方側に温度調節スイッチボックス４０が形成されると共に、図２（Ｂ）に示したように、温度調節スイッチボックス４０の前方側の壁面には調節ノブ孔４４ａが穿孔形成され、温度調節スイッチボックス４０の内部には後述の温度調節スイッチ４１が収容される空間部４３が形成されていた。
【０００３】
また、従来の冷蔵庫用温度調節スイッチ４１においては、図２（Ｂ）に示したように、その一方の側壁に、前記温度調節スイッチボックス４０の空間部４３に掛止される側壁支持部４１ａが形成されており、前方側壁には前記温度調節スイッチボックス４０の前面内方側壁に螺着される前面支持部４１ｂが形成され、該前面支持部４１ｂの中央から横手方向にスイッチ軸４１ｃが前方向きに突出して形成され、該スイッチ軸４１ｃの後方側の端部に電源線４２が連結されて、該電源線４２の他方側端がマイクロコンピューター（図示されない）に連結されるように温度調節スイッチ４１が構成されていた。
【０００４】
さらに、該温度調節スイッチ４１が前記温度調節スイッチボックス４０の空間部４３に挿入係合された後に、温度調節スイッチ４１のスイッチ軸４１ｃが、前記温度調節スイッチボックス４０の調節ノブ孔４４ａ内に挿入されて外方側に突出し、突出したスイッチ軸４１ｃの先方側端に調節ノブ４４が取り付けられ、該調節ノブ４４を使用者が回動調節することによって温度調節スイッチ４１が回動して切り替えられ、冷蔵庫内の圧縮機がオン／オフされて、冷凍室２０内の温度が所望の温度に調節、維持されるようになっていた。
【０００５】
このように構成されていた従来の冷蔵庫用温度調節スイッチの作用においては、使用者が冷蔵庫に電源から電力を供給し、調節ノブ４４を回動して使用者の所望の温度を選択して設定すると、その温度は冷蔵庫内のマイクロコンピューターに入力されて、該マイクロコンピューターは温度調節スイッチ４１を制御して冷蔵庫内の圧縮機をオン／オフさせ、冷凍室２０の温度を使用者所望の温度に維持する。
【０００６】
【発明が解決しようとする課題】
然るに、このように構成された従来の冷蔵庫用温度調節スイッチの取付構造においては、冷凍室の内部に所定の大きさの温度調節スイッチボックスが設定され、該温度調節スイッチボックスの内部に所定の大きさの空間部が形成されて、該空間部に温度調節スイッチが挿入、係合され、該温度調節スイッチのスイッチ軸が突出している前記温度調節スイッチボックスの前方側壁面に調節ノブが取り付けられているため、温度調節スイッチボックスの占有容積分だけ冷凍室の使用空間が減少し、冷凍室の使用効率が低下するという不都合な点があった。また、前記調節ノブが冷凍室前方側の温度調節スイッチボックスの前面に取り付けられているため、冷凍室内の温度を正確に測定することができないという不都合な点があった。
【０００７】
このような問題点を解決するため本発明者達は研究を重ねた結果、次のような冷蔵庫用温度調節スイッチの取付構造を提供しようとするものである。
【０００８】
【課題を解決するための手段】
本発明の目的は、冷蔵庫内における温度調節スイッチの占有面積を減らすことによって、冷凍室の使用効率を向上し得る冷蔵庫用温度調節スイッチの取付構造を提供しようとするものである。
また、本発明の他の目的は、冷蔵庫の温度を正確に測定し得る冷蔵庫用温度調節スイッチの取付構造を提供しようとするものである。
【０００９】
そして、このような本発明の目的は、冷蔵庫の後方側壁に複数の冷気通孔を有する後方側壁と平行な平板状態のグリル体が取り付けられ、該グリル体の上部外方の側壁面に、前面支持部及びスイッチ軸を有する温度調節スイッチが螺着され、該温度調節スイッチのスイッチ軸が前記グリル体の冷気通孔を貫通して該グリル体の前面に突出し、該突出したスイッチ軸の先方側端に調節ノブ支持ガイドを介して調節ノブが取り付けられている冷蔵庫用温度調節スイッチの取付構造により達成される。
【００１０】
【作用】
使用者が電源から電力を供給した後、調節ノブを回動して所望の温度を選択、設定すると、使用者の選択した温度が冷蔵庫内のマイクロコンピューターに入力され、該マイクロコンピューターは、温度調節スイッチを制御して冷蔵庫内の圧縮機をオン／オフさせ、冷凍室の温度を使用者所望の設定温度に維持させる。
【００１１】
【実施例】
以下、本発明の実施例に対し図面を用いて詳細に説明する。図１（Ａ）に示したように、本発明に係る冷蔵庫用温度調節スイッチが取り付けられる冷蔵庫においては、冷蔵庫本体１００の上方側に冷凍室２００が形成され、該冷凍室２００の前面に冷凍室ドアー２００ａが開閉自在に取り付けられ、該冷凍室２００の下方側に冷蔵室３００が形成されて、該冷蔵室３００の前面に冷蔵室ドアー３００ａが開閉自在に取り付けられる。
【００１２】
前記冷凍室２００の後方壁には複数の冷気通孔４３０を有するグリル体４００が取り付けられ、該グリル体４００の上部外方側面の所定部位には、該グリル体４００の冷気通孔４３０を通して排出される冷気の流路を除いた空間を貫通して後に説明する温度調節スイッチ５００が螺着されている。また、図１（Ｂ）に示したように本発明に係る冷蔵庫用温度調節スイッチにおいては、前記温度調節スイッチ５００の前方側壁に、ネジ孔を有する前面支持部５１０が形成されて、該前面支持部５１０が前記グリル体４００の外方側壁面に前記ネジ孔のネジにより螺着される。
【００１３】
該温度調節スイッチ５００の中央部から横手方向にスイッチ軸５２０が突出して形成され、該スイッチ軸５２０の後方側端には電源線５３０の一方側端が連結されており、該電源線５３０の他方側端はマイクロコンピューター（図示されない）に連結されている。スイッチ軸５２０が前記グリル体４００の冷気通孔４３０を通して排出される冷気の流路を除いた空間を貫通して該グリル体４００の前方側に突出し、該スイッチ軸５２０の突出した部分の外周面には、調節ノブ孔４１０を有する板状の調節ノブ支持ガイド４２０が嵌合しており、該調節ノブ支持ガイド４２０の前方側の前記突出したスイッチ軸５２０の先方側端には調節ノブ５４０が取り付けられる。該調節ノブ５４０を使用者が回動調節することによって温度調節スイッチ５００が回動して切り替えられ、冷蔵庫内の圧縮機がオン／オフされて冷凍室２００の温度が所望の温度に調節、維持されるようになっている。
【００１４】
このように構成された本発明の実施例に係る冷蔵庫用温度調節スイッチの取付構造の作用においては、使用者が冷蔵庫に電源から電力を供給し、調節ノブ５４０を回動して使用者所望の温度を選択、設定すると、該使用者の選択した温度は冷蔵庫内のマイクロコンピューターに入力され、該マイクロコンピューターは温度調節スイッチ５００を制御して冷蔵庫内の圧縮機をオン／オフさせ、冷凍室２００の温度を正確に使用者所望の設定温度に維持させる。
【００１５】
【発明の効果】
以上説明したように、本発明に係る冷蔵庫用温度調節スイッチの取付構造においては、冷凍室の後方側壁に複数の冷気通孔を有する後方側壁と平行な平板状態のグリル体が取り付けられ、該グリル体の外方側に温度調節スイッチが螺着されて、該温度調節スイッチのスイッチ軸が前記グリル体の冷気通孔を貫通して該グリル体の内方側に突出し、該スイッチ軸の突出した前方側端に調節ノブ支持ガイドを介して調節ノブが取り付けられ、温度調節スイッチにマイクロコンピューターが連結されて調節ノブの入力値による信号が送受信されるため、冷凍室内の温度調節スイッチの占有容積が減少し、それによって冷凍室の使用効率を向上させることができると共に、温度調節スイッチが冷凍室内の温度を正確に検出され調節ノブの入力値による信号がマイクロコンピューターへ送受信されるので最適な運転が可能になるという効果がある。
【図面の簡単な説明】
【図１】本発明の実施例の構成を示した概略斜視図で、（Ａ）は冷蔵庫の斜視図、（Ｂ）は冷蔵庫用温度調節スイッチの斜視図である。
【図２】従来例の構成を示した斜視図で、（Ａ）は冷蔵庫の斜視図、（Ｂ）は冷蔵庫用温度調節スイッチの斜視図である。
【符号の説明】
１０，１００…冷蔵庫本体
２０，２００…冷凍室
２０ａ，２００ａ…冷凍室ドアー
３０，３００…冷蔵室
３０ａ，３００ａ…冷蔵室ドアー
４０…温度調節スイッチボックス
４１，５００…温度調節スイッチ
４１ａ…側壁支持部
４１ｂ，５１０…前面支持部
４１ｃ，５２０…スイッチ軸
４２，５３０…電源線
４３…空間部
４４，５４０…調節ノブ
４４ａ，４１０…調節ノブ孔
４００…グリル体
４２０…調節ノブ支持ガイド
４３０…冷気通孔
【図１】
0003665096.tif 000002
【図２】
0003665096.tif 000003